【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
外部装置との間で通信を行うための通信インタフェースと、
少なくとも、通信を許可された外部装置の識別情報と、該外部装置との間で通信を行うための情報とが記憶された記憶手段と、
前記通信インタフェースが前記外部装置に接続されると、前記記憶手段に記憶された識別情報に基づいて、前記通信インタフェースに接続された外部装置と通信可能か否かを判断し、通信可能であると判断した場合に、前記記憶手段に記憶された情報に基づき、前記通信インタフェースを介して、前記外部装置との間で通信を行う通信制御手段と、
を備えたＩＣカードであって、
前記記憶手段を複数設置すると共に、該複数の記憶手段と前記通信制御手段とを電気的に接続するための接続部と、
を備え、
前記通信制御手段は、前記通信インタフェースが前記外部装置に接続されると、前記接続部を介して、前記各装着部に装着された記憶手段から識別情報を読み取り、該識別情報に基づき、前記通信インタフェースに接続された外部装置との間で通信を行うための情報が記憶された記憶手段が存在するか否かを判断し、該記憶手段が存在する場合に、該記憶手段に記憶された情報に基づき、前記通信インタフェースを介して、前記外部装置との間で通信を行うことを特徴とするＩＣカード。
【請求項２】
前記記憶手段は、該記憶手段を複数個別に装着するための複数の装着部に装着され、
前記接続部は、前記複数の装着部に装着された記憶手段と前記通信制御手段とを電気的に接続することを特徴とする請求項１に記載のＩＣカード。
【請求項３】
前記記憶手段は、強誘電体メモリであることを特徴とする請求項１又は請求項２に記載のＩＣカード。
【請求項４】
前記記憶手段には、該記憶手段が前記装着部に装着された際に、当該ＩＣカードの外部から確認できる位置に、前記通信を許可された外部装置を表す情報が標記されていることを特徴とする請求項２又は請求項３に記載のＩＣカード。
【請求項５】
前記記憶手段は薄板状に形成されており、
前記装着部は、当該ＩＣカードの板面に形成され、該板面の上方から前記記憶手段を装着可能な凹部からなることを特徴とする請求項２〜請求項４の何れかに記載のＩＣカード。
【請求項６】
当該ＩＣカードは、外部装置との間で通信を行う通信端末に装着可能に構成され、
前記通信インタフェースは、当該ＩＣカードが前記通信端末に装着された場合に、該通信端末との間で通信を行うように構成され、
前記記憶手段には、前記通信端末が前記外部装置との間で通信を行うための情報が記憶されており、
前記通信制御手段は、前記通信インタフェースが前記通信端末に接続されると、該通信端末からの指令により、前記接続部を介して、前記各装着部に装着された記憶手段から識別情報を読み取り、該識別情報に基づき、前記通信端末が、該通信端末からの指令により指定された外部装置との間で通信を行うための情報が記憶された記憶手段が存在するか否かを判断し、該記憶手段が存在する場合に、該記憶手段に記憶された情報を、前記通信インタフェースを介して、前記通信端末に送信することを特徴とする請求項１〜請求項５の何れかに記載のＩＣカード。
【手続補正２】
【補正対象書類名】明細書
【補正対象項目名】全文
【補正方法】変更
【補正の内容】
【発明の詳細な説明】
【発明の名称】ＩＣカード
【技術分野】
【０００１】
本発明は、ＣＰＵ、メモリ等からなる半導体集積回路を備え、許可された外部装置との間で情報の送受を行うように構成されたＩＣカードに関するものである。
【背景技術】
【０００２】
従来より、金融機関、クレジット会社、電話通信会社、学校、販売会社等の事業者は、利用者に効率的に各種サービスを提供するために、サービスの利用者に対して、キャッシュカード、クレジットカード、会員カード等の各種カードを発行している。
【０００３】
そして、このようなカードの１つとして、プラスチック製の板状のカードに、ＣＰＵ、ＲＯＭ、ＥＥＰＲＯＭ等から構成された半導体集積回路（以下、ＩＣチップという）が内蔵されたＩＣカードが知られており、このＩＣカードが、現金自動受払機等の事業者側の装置に挿入されると、ＩＣカードに内蔵されたＩＣチップと事業者側の装置とが電気的に接続され、ＩＣチップは、ＲＯＭ又はＥＥＰＲＯＭ等に記憶された情報に基づいてこの装置との間で通信可能であるか否かを判断し、通信可能であると判断すると通信を開始する（例えば特許文献１等参照）。
【特許文献１】特許第３１１３２６７号公報
【発明の開示】
【発明が解決しようとする課題】
【０００４】
しかしながら、上記のようなＩＣカードは、各事業者毎に発行されるので、利用者は各事業者により発行された多数のＩＣカードを所持することになり、非常に不便であると共に、所持するＩＣカードの中から必要なＩＣカードを選び出すための作業にも手間がかかっていた。
【０００５】
本発明は、こうした問題に鑑みなされたもので、予め通信を許可された事業者側の装置との間で通信可能に構成されたＩＣカードにおいて、１枚のＩＣカードで複数の事業者側の装置と通信できるようにすることを目的とする。
【課題を解決するための手段】
【０００６】
係る目的を達成するためになされた請求項１に記載の発明のＩＣカードは、外部装置との間で通信を行うための通信インタフェースと、少なくとも、通信を許可された外部装置の識別情報と、該外部装置との間で通信を行うための情報とが記憶された記憶手段と、前記通信インタフェースが前記外部装置に接続されると、前記記憶手段に記憶された識別情報に基づいて、前記通信インタフェースに接続された外部装置と通信可能か否かを判断し、通信可能であると判断した場合に、前記記憶手段に記憶された情報に基づき、前記通信インタフェースを介して、前記外部装置との間で通信を行う通信制御手段と、を備えたＩＣカードであって、前記記憶手段を複数設置すると共に、該複数の記憶手段と前記通信制御手段とを電気的に接続するための接続部と、を備え、前記通信制御手段は、前記通信インタフェースが前記外部装置に接続されると、前記接続部を介して、前記各装着部に装着された記憶手段から識別情報を読み取り、該識別情報に基づき、前記通信インタフェースに接続された外部装置との間で通信を行うための情報が記憶された記憶手段が存在するか否かを判断し、該記憶手段が存在する場合に、該記憶手段に記憶された情報に基づき、前記通信インタフェースを介して、前記外部装置との間で通信を行うことを特徴とする。
請求項２に記載の発明のＩＣカードは、前記記憶手段は、該記憶手段を複数個別に装着するための複数の装着部に装着され、前記接続部は、前記複数の装着部に装着された記憶手段と前記通信制御手段とを電気的に接続することを特徴とする。
【０００７】
このように本発明の請求項２のＩＣカードは、記憶手段を個別に装着するための複数の装着部と、
この装着部に装着された記憶手段と通信制御手段とを電気的に接続するための接続部と、を備え、通信制御手段は、通信インタフェースが外部装置に接続されると、接続部を介して、各装着部に装着された記憶手段から識別情報を読み取り、この識別情報に基づき、通信インタフェースに接続された外部装置との間で通信を行うための情報が記憶された記憶手段が存在するか否かを判断し、その記憶手段が存在する場合に、その記憶手段に記憶された情報に基づき、通信インタフェースを介して、外部装置との間で通信を行う。
【０００８】
このため、本発明の請求項２のＩＣカードによれば、各装着部に、予め通信を許可された外部装置の識別情報が記憶された記憶手段を複数装着しておくことにより、１枚のＩＣカードで、装着された各記憶手段に記憶された識別情報に該当する複数の外部装置との間で通信することが可能となる。
【０００９】
そして、請求項３に記載の発明は、請求項１又は請求項２に記載のＩＣカードにおいて、記憶手段を、強誘電体メモリで構成することを特徴とする。
つまり、記憶手段としては、不揮発性のメモリであれば、フラッシュメモリ、ＥＥＰＲＯＭ等を用いることも可能であるが、動作速度が遅いという問題がある。そこで、請求項２に記載のように、強誘電体メモリを記憶手段として用いることにより、より高速での記憶手段へのデータの書き替えが可能となり、より短時間で外部装置との間でデータを送受することができるようになる。また、強誘電体メモリはフラッシュメモリ、ＥＥＰＲＯＭ等に比べ消費電力も少なく、ＩＣカードにおける消費電力を抑えることができる。
【００１０】
また、請求項４に記載の発明は、請求項２又は請求項３に記載のＩＣカードにおいて、記憶手段には、記憶手段が装着部に装着された際に、当該ＩＣカードの外部から確認できる位置に、通信を許可された外部装置を表す情報を標記したことを特徴とする。
【００１１】
このようにすると、装着部に装着された記憶手段がどの外部装置を利用できるものであるかを、利用者がＩＣカードの外部から容易に確認することができるので、便利である。
そして、請求項５に記載の発明は、請求項４〜請求項４の何れかに記載のＩＣカードにおいて、記憶手段を薄板状に形成し、装着部を、当該ＩＣカードの板面に、この板面の上方から薄板状に形成された記憶手段を装着可能な凹部により形成したことを特徴とする。
【００１２】
このようにすると、薄板状の記憶手段を凹部に嵌め込むことにより、ＩＣカードを従来のＩＣカードと同形状の薄い板状に構成できるので、利用者は同じ使用感でカードを利用することができ、また、従来からある外部装置をそのまま利用することも可能となる。
【００１３】
一方、請求項６に記載の発明は、請求項１〜請求項５に記載の何れかに記載のＩＣカードにおいて、当該ＩＣカードは、外部装置との間で通信を行う通信端末に装着可能に構成され、通信インタフェースは、当該ＩＣカードが通信端末に装着された場合に、通信端末との間で通信を行うように構成され、記憶手段には、通信端末が外部装置との間で通信を行うための情報が記憶されており、通信制御手段は、通信インタフェースが通信端末に接続されると、通信端末からの指令により、接続部を介して、各装着部に装着された記憶手段から識別情報を読み取り、この識別情報に基づき、通信端末が、通信端末からの指令により指定された外部装置との間で通信を行うための情報が記憶された記憶手段が存在するか否かを判断し、記憶手段が存在する場合に、該記憶手段に記憶された情報を、前記通信インタフェースを介して、前記通信端末に送信することを特徴とする。
【００１４】
よって、請求項６に記載のＩＣカードによれば、利用者は、通信を許可された外部装置の記憶手段をＩＣカードに装着しておくことにより、通信端末を用いて、外部装置との通信が可能となるので便利である。また、通信端末は、インターネット等の無線通信網を介して多くの外部装置と接続することが可能であるので、選択可能な外部装置の種類、つまり、ＩＣカードに装着可能な記憶手段の種類が増え、ＩＣカードの使用用途をより広げることができる。尚、請求項６に記載のＩＣカードは、通信端末に装着されている場合に通信端末との間で通信し、通信端末に装着されていない場合に外部装置との間で直接通信を行うように構成してもよく、また、通信端末に装着されて使用される専用のＩＣカードとして、通信端末のみとの間で通信を行い、外部装置とは直接通信を行わないように構成してもよい。
【発明を実施するための最良の形態】
【００１５】
以下に、本発明の実施形態を図面と共に説明する。
［第１実施例］
図１（ａ）は、本発明が適用されたＩＣカード１の外観を示す斜視図、図１（ｂ）は、事業者メモリ３０の外観を示す斜視図、図２は、ＩＣカード１の外観を示す分解斜視図である。
【００１６】
本実施例のＩＣカード１は、予め契約した各事業者（例えば、金融機関、クレジット会社、電話通信会社、学校、販売会社等）が提供するサービスを１枚のＩＣカード１で利用できるようにしたものであり、図１（ａ）に示すように、従来のＩＣカードと同様に長方形の薄板状に形成されたカード本体２と、カード本体２の板面に形成された装着部２ｂに装着される複数の事業者メモリ３０と、から構成されている。
【００１７】
カード本体２は、図１（ａ）、又は、図２に示すように、各事業者側の装置（例えば、現金自動受払機、公衆電話、専用読み取り機等）に挿入された際にこれらの装置と通信を行うためのＩＣモジュール４と、ＩＣモジュール４とカード本体２に装着される事業者メモリ３０とを電気的に接続するための線路パターン６ａが形成されたパターン基板６と、パターン基板６を挟むようにパターン基板６の両面に夫々配置される電気絶縁性の２枚のカードコア８と、からなり、カード本体２の板面の内の１面（以下、おもて面という）には、ＩＣモジュール４の接続端子１４が露出していると共に、事業者メモリ３０が装着される装着部２ｂが複数（本実施例では８箇所）形成されている。また、同じ面には、利用者の名前、カード本体２固有の番号等のＩＣカード１の識別情報を表すエンボス文字等からなる識別表示部１０が形成されている。
【００１８】
ＩＣモジュール４は、ＣＰＵ、ＲＡＭ、ＲＯＭ等からなるＩＣチップ１２と、事業者側の装置との電気的な接続部となる接続端子１４と、パターン基板６と接続される接続端子１６と、ＩＣチップ１２と接続端子１４，１６とを接続する配線基板１８と、により構成されており、配線基板１８の板面の内の１面に接続端子１４が設けられ、他面にＩＣチップ１２が実装されていると共に、接続端子１６が設けられている。
【００１９】
パターン基板６は、ポリイミド、ガラスエポキシ等の高分子材料からなるシート状の基材に銅、アルミニウム等の金属からなる線路パターン６ａが形成されたものであり、ＩＣモジュール４の接続端子１６又は事業者メモリ３０の接続端子と、線路パターン６ａ上に形成された接続部６ｂとが接続されて、ＩＣモジュール４と事業者メモリ３０とを電気的に接続する。
【００２０】
カードコア８は、ポリ塩化ビニール等の樹脂材料からなり、おもて面側に配置されるカードコア８には、ＩＣモジュール４が挿入される矩形の貫通孔８ａ及び事業者メモリ３０が挿入される複数の矩形の貫通孔８ｂが形成されている。
【００２１】
そして、このように形成されたカードコア８とパターン基板６とは互いに接着され、カードコア８に形成された貫通孔８ａ，８ｂと、パターン基板６とから、矩形の凹部が形成されている。ここで、貫通孔８ａにより形成された凹部は、ＩＣモジュール４の装着部２ａであり、貫通孔８ｂにより形成された凹部は、事業者メモリ３０の装着部２ｂである。
【００２２】
尚、ＩＣモジュール４、又は、事業者メモリ３０が装着されていない状態において、装着部２ａ，２ｂの底面には、パターン基板６に形成された線路パターン６ａの接続部６ｂが露出している。このため、ＩＣカード１が実際に使用される際は、事業者メモリ３０が装着されていない装着部２ｂには、接続部６ｂを保護するために、事業者メモリ３０と同形状に形成された樹脂材料からなるカバー（図示無し）が装着される。
【００２３】
また、ＩＣモジュール４は、ＩＣモジュール４の接続端子１６が設けられた面に導電性接着剤が塗布され、導電性接着剤が塗布された接続端子１６が、線路パターン６ａの接続部６ｂと重なり合うように装着部２ａに挿入され、熱及び圧力が加えられることにより装着部２ａ内に固定されている。尚、この状態において、ＩＣモジュール４と線路パターン６ａとは、導電性接着剤を介して電気的に接続されている。
【００２４】
事業者メモリ３０は、矩形の薄板状に形成された書換可能な不揮発性メモリ（本実施例では、強誘電体メモリ（ＦｅＲＡＭ）チップ）であり、板面の内の１面には、パターン基板６上に形成された線路パターン６ａと接続するための接続端子を備え、この面と反対側の面には、図１（ｂ）に示すように、事業者名が標記されている。
【００２５】
そして、事業者メモリ３０において、接続端子が設けられた面には、予めカード本体２の装着部２ｂに接着するための導電性の粘着シールが貼り付けられており、この粘着シールにより、装着部２ｂ内に固定される。尚、この状態において、事業者メモリ３０と線路パターン６ａが、導電性の粘着シールを介して電気的に接続されている。
【００２６】
図３は、本実施例のＩＣカード１の電気的構成を示すブロック図である。
ＩＣカード１は、図３に示すように、ＣＰＵ１２ａと、ＣＰＵで実行されるプログラム等が記憶されたＲＯＭ１２ｂと、一時的な記憶メモリとしてのＲＡＭ１２ｃとから構成されたＩＣチップ１２と、利用者の識別情報及び暗証番号、通信を許可された事業者側の装置の識別情報等の事業者側の装置と通信を行うために必要な各種情報が記憶された事業者メモリ３０と、が各種バスを介して接続されている。そして、接続端子１４が事業者側の装置に接続されると、ＣＰＵ１２ａは、パターン基板６に形成された線路パターン６ａを介して、各事業者メモリ３０に記憶された事業者側の装置の識別情報を読み取り、読み取った識別情報に基づいて、接続端子１４に接続されている事業者側の装置と通信可能か否かを判断する。そして、この装置と通信可能と判断すると、通信可能と判断した識別情報が記憶された事業者メモリ３０に記憶された情報に基づき、事業者側の装置と通信を行う。
【００２７】
尚、接続端子１４は、一般のＩＣカードの接続端子と同様に、ＩＣモジュール４のＧＮＤ（グランド）、Ｖｃｃ（外部からの供給電圧）、ＲＳＴ（リセット信号）、Ｉ／Ｏ（データ入出力信号）、ＲＦＵ（将来利用のための予備接点２点）、Ｖｐｐ（書込み供給電圧）、ＣＬＫ（クロック信号）から構成されている。
【００２８】
図４は、ＩＣカード１に内蔵されたＩＣモジュール４のＩＣチップ１２にて実行される外部通信処理を示すフローチャートである。尚、この外部通信処理は、利用者が事業者側の装置にＩＣカード１を挿入することにより、接続端子１４に事業者側の装置が接続され、接続端子１４を介して電源供給されることにより開始される処理である。
【００２９】
処理が開始されると、まずＳ１１０にて、線路パターン６ａを介して、カード本体２の各装着部２ａに事業者メモリ３０が装着されているか否かを判断し、事業者メモリ３０が装着されている、つまり、通信を許可された事業者側の装置が存在すると判断した場合には（Ｓ１１０：ＹＥＳ）、Ｓ１２０にて、接続端子１４を介して、接続端子１４に接続された装置から、その装置の識別情報が読み取れるか否かを判断する。そして、その装置から識別情報が読み取れると判断した場合には（Ｓ１２０：ＹＥＳ）、Ｓ１３０に移行し、その装置から事業者の識別情報を読み取り、Ｓ１４０に移行する。
【００３０】
そして、Ｓ１４０にて、線路パターン６ａを介して、カード本体２に装着された複数の事業者メモリ３０に記憶された識別情報を読み取り、これらの事業者メモリ３０から読み取った識別情報と、事業者側の装置から読み取った事業者の識別情報と、に基づき、接続端子１４に接続された事業者側の装置と通信するための情報が記憶された事業者メモリ３０があるか否かを判断し、該当する事業者メモリ３０があると判断すると（Ｓ１４０：ＹＥＳ）、続くＳ１５０では、この事業者メモリ３０を、以後の処理で使用するメモリとして特定する。
【００３１】
続くＳ１６０にて、接続端子１４に接続された装置から、利用者に対して、暗証番号の入力が要求されているか否かを判断し、暗証番号の入力が要求されていると判断した場合には（Ｓ１６０：ＹＥＳ）、この装置から送信された暗証番号が、接続端子１４を介して受信されるか否かに基づいて、外部から暗証番号が入力されたか否かを判断し、暗証番号が入力されたと判断すると（Ｓ１７０：ＹＥＳ）、続くＳ１８０にて、受信した暗証番号と、Ｓ１５０の処理にて特定した事業者メモリ３０に記憶された暗証番号とが一致するか否かを判断し、暗証番号が一致した場合には（Ｓ１８０：ＹＥＳ）、Ｓ１９０に移行して、この事業者側の装置との通信を認証する旨を示す情報を、接続端子１４を介して、この装置に送信する。
【００３２】
一方、Ｓ１６０にて、装置から暗証番号の入力が要求されていないと判断した場合には（Ｓ１６０：ＮＯ）、暗証番号の設定が無いと判断し、利用者の認証を行わずＳ１９０に移行する。
【００３３】
そして、Ｓ２００にて、事業者側の装置から、特定した事業者メモリ３０への書込指令を受信したか否かを判断し、書込指令を受信した場合には（Ｓ２００：ＹＥＳ）、続くＳ２１０にて、受信した書込指令に基づいて、要求された情報を特定した事業者メモリ３０へ書き込む書込処理を実行し、Ｓ２２０へ移行する。一方、書込指令を受信していない場合には（Ｓ２００：ＮＯ）、Ｓ２２０へ移行する。
【００３４】
Ｓ２２０では、事業者側の装置から、特定した事業者メモリ３０からの読出指令を受信したか否かを判断し、読出指令を受信した場合には（Ｓ２２０：ＹＥＳ）、続くＳ２３０にて、受信した読出指令に基づいて、事業者メモリ３０から要求された情報を読み出す読出処理を実行し、Ｓ２４０へ移行する。一方、読出指令を受信していない場合には（Ｓ２２０：ＮＯ）、Ｓ２４０へ移行する。
【００３５】
Ｓ２４０では、事業者側の装置から、事業者メモリ３０への書込指令、事業者メモリ３０からの読出指令、終了指令以外のその他の指令を受信したか否かを判断し、その他の指令を受信した場合には（Ｓ２４０：ＹＥＳ）、続くＳ２５０にて、要求された指示に基づいて、各種処理を実行し、Ｓ２６０へ移行する。一方、その他の指令を受信していない場合には（Ｓ２４０：ＮＯ）、Ｓ２６０へ移行する。
【００３６】
そして、Ｓ２６０では、事業者側の装置から、終了指令を受信したか否かを判断し、終了指令を受信した場合には（Ｓ２６０：ＹＥＳ）、当該処理を終了し、終了指令を受信していない場合には（Ｓ２６０：ＮＯ）、Ｓ２００に移行し、Ｓ２００からの処理を繰り返し実行する。
【００３７】
尚、事業者メモリ３０がカード本体２に装着されていない場合（Ｓ１１０：ＮＯ）、接続端子１４に接続された装置から、その装置の識別情報が読み取られなかった場合（Ｓ１２０：ＮＯ）には、この装置とは通信ができないと判断し、当該処理を終了する。
【００３８】
また、接続端子１４に接続された装置と通信するための情報が記憶された事業者メモリ３０がカード本体２に装着されていない場合（Ｓ１４０：ＮＯ）、装置から暗証番号の入力が要求されているにも関わらず、外部から暗証番号が入力されず、暗証番号を受信できない場合（Ｓ１７０：ＮＯ）、外部から入力され、装置から送信されてきた暗証番号と、特定した事業者メモリ３０に記憶された暗証番号とが一致しない場合（Ｓ１８０：ＮＯ）には、Ｓ２７０に移行して、以後、この事業者側の装置とは通信できない旨を示す情報を、接続端子１４を介してこの装置に送信し、当該処理を終了する。
【００３９】
以上説明したように、本実施例のＩＣカード１においては、接続端子１４が事業者側の装置に接続されると、ＩＣチップ１２は、パターン基板６に形成された線路パターン６ａを介して、カード本体２に形成された各装着部２ｂに装着された事業者メモリ３０から識別情報を読み取り、この識別情報に基づき、接続端子１４に接続された事業者側の装置との間で通信を行うための情報が記憶された事業者メモリ３０が存在するか否かを判断する。そして、該当する事業者メモリ３０が存在する場合に、この事業者メモリ３０に記憶された情報に基づき、接続端子１４を介して、事業者側の装置との間で通信を行う。
【００４０】
このため、本発明のＩＣカードによれば、各装着部２ｂに、予め通信を許可された事業者側の装置の識別情報が記憶された事業者メモリ３０を複数装着しておくことにより、１枚のＩＣカード１で、装着された各事業者メモリ３０に記憶された識別情報に該当する複数の事業者側の装置との間で通信することが可能となる。
【００４１】
そして、事業者メモリ３０として、強誘電体メモリチップを用いているので、より高速で事業者メモリ３０に記憶されたデータの書き替えを行うことが可能となり、より短時間で事業者側の装置との間でデータを送受することができるようになる。また、ＩＣチップ１２における消費電力も少なくて済む。そして、事業者メモリ３０には、カード本体２に装着された際に外部から確認できる位置に事業者名が標記されているので、利用者は、使用可能な事業者側の装置を容易に認識することができるので、便利である。
【００４２】
そして、カード本体２のおもて面に複数の凹部からなる装着部２ｂを設け、この装着部２ｂに、上方からチップ状の事業者メモリ３０を嵌め込み、事業者メモリ３０と、装着部２ｂとの接触面を粘着シールにて接着することにより事業者メモリ３０をカード本体２に装着しているので、ＩＣカード１は、従来のＩＣカードと同形状の薄い板状となり、利用者は同じ使用感でカードを利用することができ、また、従来からある事業者側の装置をそのまま利用することも可能である。
【００４３】
以上説明した第１実施例において、事業者側の装置は本発明の外部装置に相当し、装着部２ｂは、本発明の装着部に相当し、パターン基板６は、本発明の接続部に相当し、接続端子１４は、本発明の通信インタフェースに相当し、事業者メモリ３０は、本発明の記憶手段に相当し、Ｓ１１０〜Ｓ１５０、Ｓ２００〜Ｓ２６０の処理は本発明の通信制御手段に相当する。
［第２実施例］
次に、別形態のＩＣカード４０について説明する。本実施例（第２実施例）のＩＣカード４０は、事業者側の装置との間で通信可能な携帯電話、ＰＤＡ等の通信端末のカード挿入孔に挿入されて使用されるものであり、電気的構成は第１実施例のＩＣカード１と同じである。よって、本実施例のＩＣカード４０については、第１実施例のＩＣカード１と同様の箇所については同様の符号を付して説明を省略し、異なる箇所についてのみ以下に説明する。
【００４４】
図５（ａ）は、ＩＣカード４０が挿入される携帯電話７０の外観を示す斜視図であり、図５（ｂ）は、ＩＣカード４０を上方及び下方から見た斜視図である。尚、図５（ａ）は、携帯電話７０の背面を示しており、背面に挿入される電池パックと、カバーとを取り外し、カード挿入孔にＩＣカード４０を半分程度挿入した状態の図である。
【００４５】
ＩＣカード４０は、図５（ｂ）に示すように、携帯電話７０のカード挿入部に挿入できる大きさに形成されたカード本体４２と、カード本体４２に装着される事業者メモリ５０とからなる。
【００４６】
カード本体４２は、ＩＣモジュール４と、略長方形のカードコアと、カードコアと同形状のパターン基板とからなり、ＩＣモジュール４の接続端子が露出した面と反対側の面には、事業者メモリ５０の装着部が複数（本変形例においては４箇所）形成されている。そして、この装着部に装着される事業者メモリ５０と、ＩＣモジュール４とを電気的に接続するために、ＩＣカード４０を構成するパターン基板（図示無し）には両面に線路パターンが形成されており、各面の線路パターンはスルーホールにより接続されている。尚、カードコア及びパターン基板の材料は、ＩＣカード１と同様である。
【００４７】
事業者メモリ５０は、カード本体４２に形成された装着部に装着可能な大きさで板状に形成された不揮発性メモリ（本実施例では、強誘電体メモリ（ＦｅＲＡＭ）チップ）であり、利用者の識別情報及び暗証番号、通信を許可された事業者側の装置の識別情報等の携帯電話７０が事業者側の装置と通信を行うために必要な各種情報が記憶されている。そして、事業者メモリ３０と同様に、カード本体４２に装着された際に外部から確認できる面に事業者名が標記されており、導電性の粘着シールによりカード本体４２の装着部に接着される。
【００４８】
このように構成されたＩＣカード４０は、携帯電話７０のカード挿入孔に挿入され、携帯電話７０からの指令を受信すると、受信した指令により指定された外部装置と携帯電話７０とが通信するための情報が記憶された事業者メモリ５０があるか否かを判断し、該当する事業者メモリ５０が存在する場合に、携帯電話７０からの指令に従い、該当する事業者メモリ５０に記憶された情報を携帯電話７０に送信する。
【００４９】
尚、本実施例の携帯電話７０には非接触ＩＣタグが内蔵されており、通話機能及びインターネット端末としての機能を有すると共に、非接触ＩＣリーダライタと通信するための機能を備えている。このため、携帯電話７０は、インターネットを介して接続する装置に加え、非接触ＩＣリーダライタが搭載された装置とも通信を行うことが可能である。
【００５０】
図６は、ＩＣカード４０に内蔵されたＩＣモジュール４のＩＣチップにて実行される外部通信処理を示すフローチャートである。この外部通信処理は、携帯電話７０にＩＣカード４０が挿入され、携帯電話７０とＩＣカード４０とが電気的に接続された状態で、接続端子１４を介して、携帯電話７０から特定の事業者メモリ５０へのアクセス指令を受信することにより開始される処理である。尚、携帯電話７０から送信され、ＩＣカード４０が受信する各種指令は、携帯電話７０と接続された事業者側の装置からの要求、携帯電話７０に設けられたプッシュボタン等の入力手段からの入力等に基づくものである。
【００５１】
処理が開始されると、まずＳ３１０にて、線路パターンを介して、カード本体４２に装着された複数の事業者メモリ５０に記憶された識別情報を読み取り、これらの事業者メモリ５０から読み取った識別情報と、接続端子１４に接続された携帯電話７０からの指令により指定された事業者側の識別情報と、に基づき、携帯電話７０が事業者側の装置と通信するための情報が記憶された事業者メモリ５０があるか否かを判断する。そして、該当する事業者メモリ５０があると判断すると（Ｓ３１０：ＹＥＳ）、Ｓ３２０に移行し、この事業者メモリ５０を、以後の処理で使用するメモリとして特定する。
【００５２】
次に、続くＳ３３０にて、接続端子１４に接続された携帯電話７０から、携帯電話７０が接続された事業者側の装置又は利用者に対して暗証番号が要求されているか否かを判断し、暗証番号が要求されていると判断した場合には（Ｓ３３０：ＹＥＳ）、事業者側の装置から送信されたか、または、利用者により入力された暗証番号が、接続端子１４を介して受信されるか否かを判断し、暗証番号を受信すると（Ｓ３４０：ＹＥＳ）、続くＳ３５０にて、受信した暗証番号と、Ｓ３２０の処理にて特定した事業者メモリ５０に記憶された暗証番号とが一致するか否かを判断し、暗証番号が一致した場合には（Ｓ３５０：ＹＥＳ）、Ｓ３６０に移行して、指定された事業者メモリ５０へのアクセスが可能である旨を示す情報を、接続端子１４を介して、携帯電話７０に送信する。
【００５３】
一方、Ｓ３３０にて、携帯電話７０から暗証番号が要求されていないと判断した場合には（Ｓ３３０：ＮＯ）、暗証番号の設定が無いと判断し、Ｓ３６０に移行する。
そして、Ｓ３７０にて、携帯電話７０から、特定した事業者メモリ５０への書込指令を受信したか否かを判断し、書込指令を受信した場合には（Ｓ３７０：ＹＥＳ）、続くＳ３８０にて、受信した書込指令に基づいて、要求された情報を特定した事業者メモリ５０へ書き込む書込処理を実行し、Ｓ３９０へ移行する。一方、書込指令を受信していない場合には（Ｓ３７０：ＮＯ）、Ｓ３９０へ移行する。
【００５４】
Ｓ３９０では、携帯電話７０から、特定した事業者メモリ５０からの読出指令を受信したか否かを判断し、読出指令を受信した場合には（Ｓ３９０：ＹＥＳ）、続くＳ４００にて、受信した読出指令に基づいて、事業者メモリ５０から要求された情報を読み出す読出処理を実行し、Ｓ４１０へ移行する。一方、読出指令を受信していない場合には（Ｓ３９０：ＮＯ）、Ｓ４１０へ移行する。
【００５５】
Ｓ４１０では、携帯電話７０から、事業者メモリ５０への書込指令、事業者メモリ５０からの読出指令、終了指令以外のその他の指令を受信したか否かを判断し、その他の指令を受信した場合には（Ｓ４１０：ＹＥＳ）、続くＳ４２０にて、要求された指示に基づいて、各種処理を実行し、Ｓ４３０へ移行する。一方、その他の指令を受信していない場合には（Ｓ４１０：ＮＯ）、Ｓ４３０へ移行する。
【００５６】
そして、Ｓ４３０では、携帯電話７０から、終了指令を受信したか否かを判断し、終了指令を受信した場合には（Ｓ４３０：ＹＥＳ）、当該処理を終了し、終了指令を受信していない場合には（Ｓ４３０：ＮＯ）、Ｓ３７０に移行し、Ｓ３７０からの処理を繰り返し実行する。
【００５７】
また、携帯電話７０が事業者側の装置と通信するための情報が記憶された事業者メモリ５０がカード本体４２に装着されていない場合（Ｓ３１０：ＮＯ）、携帯電話７０から暗証番号が要求されているにも関わらず、暗証番号を受信できない場合（Ｓ３４０：ＮＯ）、受信した暗証番号と、特定した事業者メモリ５０に記憶された暗証番号とが一致しない場合（Ｓ３５０：ＮＯ）には、Ｓ４４０に移行して、指定された事業者メモリ５０へのアクセスが不可能である旨の情報を、接続端子１４を介して携帯電話７０に送信し、当該処理を終了する。
【００５８】
以上説明したように、本実施例のＩＣカード４０においては、ＩＣカード４０は、事業者側の装置との間で通信を行う携帯電話７０のカード挿入孔に挿入可能に構成され、携帯電話７０に挿入された場合に、接続端子１４を介して携帯電話７０との間で通信を行うように構成されており、事業者メモリ５０には、携帯電話７０が事業者側の装置との間で通信を行うための情報が記憶されている。そして、ＩＣカード４０が携帯電話７０のカード挿入孔に挿入されて、ＩＣモジュール４の接続端子１４が、携帯電話７０の接続端子と接触し携帯電話７０に電気的に接続されると、ＩＣモジュール４のＣＰＵは、携帯電話７０からの指令により、線路パターンを介して、各装着部に装着された事業者メモリ５０から識別情報を読み取り、読み取った識別情報に基づき、携帯電話７０が、携帯電話７０からの指令により指定された事業者側の装置との間で通信を行うための情報が記憶された事業者メモリ５０が存在するか否かを判断し、該当する事業者メモリ５０が存在する場合に、携帯電話７０からの指令により、該当する事業者メモリ５０に記憶された情報を、接続端子１４を介して、携帯電話７０に送信する。
【００５９】
このため、本実施例のＩＣカード４０によれば、利用者は、通信を許可された事業者側の装置の事業者メモリ５０をＩＣカード４０に装着しておくことにより、携帯電話７０を用いて事業者側の装置との通信が可能となるので便利である。また、携帯電話７０は、インターネット等の無線通信網、または、非接触ＩＣリーダライタを介して多くの事業者側の装置と接続することが可能であるので、選択できる事業者側の装置の種類、つまり、ＩＣカード４０に装着可能な事業者メモリ５０の種類が増え、ＩＣカード４０の使用用途をより広げることができる。
【００６０】
ところで、利用者が事業者と契約し通信を許可された場合に、事業者側の装置との間で通信を行うための情報を、インターネットを介してダウンロードし、携帯電話７０に内蔵されたメモリに保存してもよいが、操作が複雑であり、通信状況によっては、正常にダウンロードできない場合がある。また、利用者が、契約した事業者を忘れてしまうおそれもある。しかし、本実施例のＩＣカード４０によれば、契約した事業者の事業者メモリ５０をＩＣカード４０に装着するだけで、契約した事業者との間で通信を行うことが可能となり、また、ＩＣカード４０に装着された事業者メモリ５０には事業者を示す情報が標記されているので、ＩＣカード４０を携帯電話７０から取り出すことで、容易に、契約した事業者を確認することができる。
【００６１】
さらに、携帯電話７０に内蔵されたメモリに各種情報を保存した場合には、その情報を消去する場合に、携帯電話７０を操作することにより、不要になった情報を消去しなければならず、操作が複雑で面倒である。そして、その情報が確実に消去されたか否かを利用者が判断することは難しく、メモリに残された情報を不正に読み取られてしまう可能性もある。しかし、本実施例のＩＣカード４０を用いることにより、不要になった事業者メモリ５０を取り外すことで、携帯電話７０がその事業者と通信するための情報を携帯電話７０から完全に消去することができ、情報のセキュリティー性を向上することができる。
【００６２】
そして、例えば、携帯電話７０を電子乗車券、電子マネー、または、身分証明書等の用途に用いる場合には、事業者メモリ５０を追加、変更することで、運営会社の追加、変更を利用者が容易に行うことができ、また、各運営会社の提供するサービスのアップグレードにも容易に対応できる。
【００６３】
以上説明した第２実施例において、事業者メモリ５０は、本発明の記憶手段に相当し、Ｓ３１０〜Ｓ４４０の処理は本発明の通信制御手段に相当する。
以上、本発明の実施形態について説明したが、本発明は、種々の形態を採り得ることは言うまでもない。
【００６４】
例えば、第１実施例においては、カード本体２のおもて面に凹部からなる装着部２ｂを設け、この面から事業者メモリ３０を嵌め込み、接着することにより事業者メモリ３０をカード本体２に装着するように構成したが、ＩＣカード１の側面に、事業者メモリの挿入部を形成し、側面から事業者メモリを挿入するように構成してもよい。
【００６５】
また、第１実施例においては、外部から事業者側の装置に入力される暗証番号により、利用者の認証を行ったが、これは暗証番号に限定されるものではなく、指紋、顔画像、網膜等の人物の生態特徴に基づく生態認証技術により利用者の認証を行ってもよい。この場合には、利用者の暗証番号の代わりに、利用者の生態特徴の情報を事業者メモリ３０に予め登録しておけばよい。
【００６６】
そして、第１実施例のＩＣカード１は、ＩＣカード１に内蔵されたＩＣモジュール４の接続端子１４と、事業者側の装置の電気的な接点が機械的に接触することにより、ＩＣモジュール４が電源供給を受けて動作する接触ＩＣカードとしたが、パターン基板６上にアンテナを形成し、非接触ＩＣリーダライタにより形成される磁場により電力を生成すると共に、この非接触ＩＣリーダライタとの間で無線通信を行う非接触ＩＣカードとしての機能を備えるようにしてもよい。このようにすると、使用可能な事業者側の装置の種類が増え、より使用用途を広げることができる。
【００６７】
一方、第２実施例のＩＣカード４０においては、予め携帯電話７０が事業者側の装置と通信するための情報を記憶した事業者メモリ５０を複数装着するようにしたが、何も記憶されていない事業者メモリ５０（以下、ブランクメモリという）を予め装着しておいてもよい。このようにすると、例えば、複数のブランクメモリを備えたＩＣカード４０を挿入した状態で携帯電話を出荷し、一方、販売店にてブランクメモリに情報を保存できるようにすることにより、利用者は、携帯電話を購入する際に、利用したい事業者を選択することができる。また、この場合にも、利用者がその事業者の契約を解除するときには、その事業者メモリ５０をＩＣカード４０から取り外すことで、契約時に保存された内容が破棄されるので便利である。
【００６８】
そして、第２実施例においては、ＩＣカード４０を挿入する通信端末を、非接触ＩＣタグを内蔵した携帯電話７０としたが、携帯電話７０は非接触ＩＣタグを内蔵していないものでもよく、また、ＩＣカード４０のＩＣモジュール４と接続されることにより非接触ＩＣカードを構成するアンテナを内蔵したものでもよい。この場合、ＩＣカード４０は、携帯電話７０に内蔵されたアンテナと接続されることで非接触ＩＣカードとしての機能を備えるので、携帯電話７０に挿入された状態で、非接触ＩＣリーダライタとの間で無線通信を行うことが可能となる。
【図面の簡単な説明】
【００６９】
【図１】第１実施例のＩＣカード１の外観を示す斜視図である。
【図２】第１実施例のＩＣカード１の外観を示す分解斜視図である。
【図３】第１実施例のＩＣカード１の電気的構成を示すブロック図である。
【図４】ＩＣカード１にて実行される外部通信処理を表すフローチャートである。
【図５】第２実施例のＩＣカード４０の外観を示す斜視図である。
【図６】ＩＣカード４０にて実行される外部通信処理を表すフローチャートである。
【符号の説明】
【００７０】
１…ＩＣカード、２…カード本体、２ａ，２ｂ…装着部、４…ＩＣモジュール、６…パターン基板、６ａ…線路パターン、６ｂ…接続部、８…カードコア、８ａ，８ｂ…貫通孔、１０…識別表示部、１２…ＩＣチップ、１４，１６…接続端子、１８…配線基板、３０…事業者メモリ、４０…ＩＣカード、４２…カード本体、５０…事業者メモリ、７０…携帯電話